(57)【特許請求の範囲】
【請求項１】
放送受信機によりデータ処理を行う方法であって、前記放送受信機は、受信部と、無線データ信号−デコーダと、可聴信号用の再生装置とを有し、ここで、前記無線データ信号−デコーダからＲＤＳデータのデータ流が送出され得るようにし、データ流中に、時間窓を設け、該データ流には、第１のタイプのデータ及び第２のタイプのデータを含ませ、そして、その中で第１のタイプのデータのみが処理される時間窓を設けるようにした当該のデータ処理方法において、
第１のデータタイプに対しては、ＴＭＣ−データのないＲＤＳデータが設けられ、第２のデータタイプに対しては、ＲＤＳ−及びＴＭＣデータが設けられ、ＴＭＣデータに対する周期的システムメッセージが伝送されるようにし、該周期的システムメッセージは、後続のＴＭＣデータの処理のための基本的情報を含むようにし、システムメッセージは、次のようなデータを含む、即ち、データ流の後続の窓ウインドウがもっぱらＲＤＳデータのみを含むか、又は、ＲＤＳデータ及びＴＭＣデータを含むかを指示するデータを含むようにしたことを特徴とする放送受信機によりデータ処理を行う方法。
【請求項２】
放送受信機によりデータ処理を行う方法であって、前記放送受信機は、受信部と、無線データ信号−デコーダと、可聴信号用の再生装置とを有し、ここで、前記無線データ信号−デコーダからＲＤＳデータのデータ流が送出され得るようにし、データ流中に時間窓を設け、データ流は、第１のタイプのデータ及び第２のタイプのデータを含むようにし、そして、その中で第１のタイプのデータのみが処理される時間窓を設けるようにした当該のデータ処理方法において、
第１のデータタイプに対しては、ＴＭＣ−データのないＲＤＳデータが設けられ、第２のデータタイプに対しては、ＲＤＳ−及びＴＭＣデータが設けられ、ＴＭＣデータに対する周期的システムメッセージが伝送されるようにし、該周期的システムメッセージは、後続のＴＭＣデータの処理のための基本的情報を含むようにし、システムメッセージの後、或１つの走査時間窓−及び後続の走査時間窓が設けられ、そして、後続の走査時間窓は次のような場合、もっぱらＲＤＳデータの処理のため設けられる、即ち、当該の走査時間窓内にもっぱらＲＤＳデータのみが生じている場合、もっぱらＲＤＳデータの処理のため設けられることを特徴とする放送受信機によりデータ処理を行う方法。
【発明の詳細な説明】
技術水準
本発明は独立形式請求項による放送受信機によりデータ処理を行う方法に関する。
それにより、１つのデータチャネルでデジタルデータの伝送を、放送プログラム番組と並列的に行うことが可能である無線データシステム（ＲＤＳ）が既に公知である。ＵＫＷ超短波ラジオ無線に対するＲＤＳの仕様が、就中、ヨーロッパ放送連合（ＥＢＵ）の刊行物ＥＮ５００６７，１９９２中に定められている。適当なＲＤＳデコーダを有する放送受信機は、同一の受信部で放送受信を行うほかに、伝送されたデータを受信し、デコーディングできる。データ伝送のためには、各１０４ビット宛の３２のグループが設けられる。ここで伝送されるグループの各々には、それぞれ１つの所定のサービスが割当てられる。グループ８ａは、目下、ディジタル的にコード化された所謂トラヒックメッセージの伝送のため設けられる（トラヒックメッセージシステム；Ｔｒａｆｆｉｃ  Ｍｅｓｓａｇｅ  Ｓｙｓｔｅｍ（ＴＭＳ））。前記ＴＭＳメッセージの構成及びコーディングが、ＣＥＮ−Ｄｒａｆｔ  Ｐｒ．ＥＮ／２７８／４／１／００１１内に定められており、これは、ＲＤＳ  Ａｌｅｒｔ  Ｃｏｎｓｏｒｔｉｕｍにより刊行された１９９０年１１月の規格提案に基づく。トラヒックメッセージの主要な要素は、生起の場所（ロケーション）及び事象（イベント）である。前記メッセージ情報内容は、カタログ化されている、即ち各々のトラヒック関連の場所及び各々のトラヒック関連の事象に、１つの一義的なコードが割り当て、対応付けられている。存在している道路に沿っての場所テーブルにおける場所のつなぎ合わせ、つながり具合は、経路、経過の様子を表す。ＲＤＳデコーダを有する受信装置機器の通常の装置機構のほかに、トラヒックメッセージチャネルの利用のため、トラヒックメッセージを記憶し、後続処理し、出力するＴＭＣ装置が必要である。本来のＴＭＣデータを含むグループ８ａのほかに、ＲＤＳプロトコルのグループ１ａ，３ａのバリエーションがＴＭＣのため空き状態にとっておかれている。周期的に伝送される当該のグループ１ａ，３ａにより、ＴＭＣデータの評価のための一般的なフレーム条件が整えられる。殊にどの場所テーブルがメッセージ情報の基礎と成っているかが明示される。
所定のＲＤＳ機能の利用、維持のため、例えば、丁度選択されている送信機に対する代替周波数のチェックのため、放送受信機は、０．５〜１．５ｓのオーダの期間を要する。当該の期間中、他のＲＤＳ機能を利用し得ず、亦ＴＭＣ情報をも受信できない。当該の機能の利用、維持のため、放送受信装置は、従って、ＴＭＣ情報が入来し得ない時間窓を識別しなければならない。それというのは、そうしないと、当該の情報が失われることとなるからである。これまでは、ＴＭＣデータを有していない時間窓は設けられなかった。
発明の利点
本発明の方法は、独立形式請求項の特徴事項により次のような利点を有する、即ち、複雑な、ないし、時間のかかる機能、殊にＲＤＳ機能の支障のないデータ処理を行うことができる十分長い時間窓を設け得るという利点を有する。
更なる利点はサブクレームの請求項の手段により得られる。本発明の方法は、殊に、有利にＲＤＳ−及びＴＭＣ情報のため使用できる。ＴＭＣデータの処理のため、ＴＭＣに対する周期的システムメッセージが伝送される。前記システムメッセージは、たんにＲＤＳデータのみか、又はＲＤＳデータ及びＴＭＣデータを処理できるか否かを簡単に確定するために利用することができる。
図面
本発明の実施例が図中に示されており、以降の説明において詳細に説明されている。図１は、そこにて本発明の方法を実現することができる公知の放送受信機を示す。図２、３、４は、データの処理のための本発明の方法の実施例を示す。
図１は、ブロック接続図の形態で、本発明の方法の説明に必要な放送受信機の部分、有利にはカーラジオの部分を示す。アンテナ１及び受信部（チューナ）２を介して、ＵＫＷ超短波送信機がそれ自体公知の形式で受信される。チューナ２はマルチプレクス信号ＭＰＸを送出し、該マルチプレクス信号ＭＰＸは、可聴信号ないしステレオ伝送の場合コード化された形態で左及び右チャネルに対する可聴信号を含む。更に、マルチプレクス信号ＭＰＸは５７ＫＨｚ−搬送波にて変調された無線データ信号を有し、該無線データ信号は、デコーダ３にてデコーディングされる。デコーダ３は、データ流を生成し、該データ流にてＲＤＳデータ及びその中に含まれているＴＭＣデータが含まれている。
マルチプレクス信号ＭＰＸの可聴成分は、ステレオデコーダ４にてデコーディングされる。２つの終段出力段６，７及び２つのスピーカ８，９を有するオーディオ可聴アンプ５が、可聴信号の再生のため使用され、音量の調整のための入力側１０を有する。オーディオ可聴アンプ５のオーディオ可聴入力側が、切換スイッチ１１を介して一方ではステレオデコーダ４の出力側に接続され、他方では、補助入力側１２に接続可能であり、該補助入力側には、カセット−又はＣＤ−再生装置を接続できる。
マイクロコンピュータ１３は、図示の放送受信機において、多数の機能を果たす。就中、種々の情報が指示装置（ディスプレイ）１５上に表示される。更に、デコーダ３は、マイクロコンピュータ１３にＲＤＳ信号を供給し、該マイクロコンピュータは、そのＲＤＳ信号を評価し、ＲＤＳ信号中に含まれている情報をディスプレイ１５上に可視化する。マイクロプロセッサ１３の出力側は、オーディオ可聴アンプ５の制御入力側３０と、切換スイッチ１１の制御入力側とに接続されている。従って、キーボード１４を介して、オーディオ可聴信号源のうちの１つが選択され、音量が調整され得る。
図２には、デコーダの処理のための方法が示されている。時点Ｔ０〜Ｔ４により個々の時間窓に細分化される時間軸がプロットされている。時点Ｔ０〜Ｔ１、及びＴ２〜Ｔ３間の時間窓には、ＲＤＳが記されており、それにより当該の時間窓内にてＴＭＣデータなしでＲＤＳデータのみが処理されることが明示される。時点Ｔ１〜Ｔ２、ないしＴ３〜Ｔ４は、ＴＭＣで示されている。それにより、当該の時間窓内にてＴＭＣデータを処理することができることが明らかにされている。当該の時間窓内にて、他のＲＤＳ信号を処理することもできる。当該の時間窓内で、放送受信機は著しく複雑な、ないし、時間のかかるＲＤＳ機能を利用することはなく、当該の著しく複雑な、ないし、時間のかかるＲＤＳ機能は、ＴＭＣ信号の処理を不可能にするものである。ここで特に、丁度調整セッティングされている放送受信機に対する代替送信周波数のチェックを可能にするＲＤＳ機能に想到するようになる。但し、当該機能を利用するに当たり、ＴＭＣデータは、もはや受信されず、そうすれば、相応のＴＭＣデータの損失を来すこととなる。その種の機能は、放送受信機によっては次のような時間窓においてのみ利用され得る、即ち、ＴＭＣデータなしで、もっぱらＲＤＳデータのみが受信される時間窓においてのみ利用され得る。図３及び図４には、１つのＴＭＣ時間窓、又は、１つのＲＤＳ時間窓を設定できる２つの方式を示す。
図３には同じく、時間軸を示してあり、該時間軸は、時点Ｔ５〜Ｔ８により３つの時間区間タイムスパンに分割されている。第１の時間窓Ｔ５〜Ｔ６では事例にて基礎としているところによれば、ＲＤＳデータのみが受信される。但し、Ｔ５〜Ｔ６の第１の時間窓に対していずれの他のデータの受信を行ってもよい。ＴＭＣ信号の評価のためには、所定の間隔、例えば、数ｓｅｃの間隔をおいて周期的にシステムメッセージが伝送される。当該のシステムメッセージは、後続のＴＭＣデータの評価に重要なデータ、例えば、どのテーブルに依拠して、ＴＭＣデータが解釈されるかに係わるデータを含む。その種のシステムメッセージの伝送は、ここでは、時点Ｔ６〜Ｔ７間の時間区間タイムスパンにて示されている。簡単化のため、当該のシステムメッセージは、図３中ＳＹとして表されている。ここで、システムメッセージは、１０４Ｂｉｔの単一グループであり、従って、誇張した幅の時間区間タイムスパンＳＹが示されている。ところでシステムメッセージ中では次のことを指示する１つのＢｉｔが規定されている、即ち、時点Ｔ７〜Ｔ８により表されている後続の時間窓がＲＤＳ時間窓として形成されているのか、又は、ＴＭＣ時間窓として形成されているのかを指示する１つのＢｉｔが規定されている。１つの時間窓の最大持続時間は、ＳＹの間隔により定められる。１つのＴＭＣ時間窓の場合において、ＴＭＣデータのみならず、ＲＤＳデータをも処理することができる。但し、当該の時間窓中ＴＭＣデータの処理をブロッキングするおそれのある複雑な、ないし、時間のかかるＲＤＳ機能は利用されない。但し、システムメッセージにおける相応のＢｉｔにより、時間窓がもっぱらＲＤＳ情報に対してのみ利用されるべきであることが明らかにされる場合には、複雑な、ないし、時間のかかるＲＤＳ機能をも利用できる、例えば時間窓の長さを越えない期間に対して更なるデータの記録ないし、処理をブロッキングする他の代替送信周波数のチェックのような複雑な、ないし、時間のかかるＲＤＳ機能を利用することもできる。
本発明の方法を図３に即して、ＲＤＳデータ及びＴＭＣデータについて説明した。本発明の方法を次のようなときは常に使用できる、即ち、第１タイプのデータ及び第２タイプのデータを処理すべき場合には、常に使用できる。ここで所定の時間窓を、唯一のタイプのデータ処理のためリザーブしておかねばならない。このことが当てはまるのは殊に次のような場合である、即ち、著しく複雑な、ないし、時間のかかる処理ステップを要する第１タイプのデータが第２タイプのデータ−これはできる限りいつも受信しなければならない−と混合されて伝送される場合である。
システムメッセージが固定した時間パターンで送信されるので、それぞれの時間窓の終端をも計算できる。従って、伝送エラーを補償できる。図２に示すように１つのＴＭＣ時間窓が常に１つのＲＤＳ時間窓と交互に入れ替わるようにすると殊に有利である。受信機は、それにより、システムメッセージＳＹにおける伝送エラーに対してロバストになる。
図４には本発明の別の実施例を示す。同じく時点ｔ９〜ｔ１３が複数の時間区間タイムスパンに分割されている。時間ｔ９〜ｔ１０間の第１時間区間タイムスパンを同様に任意のデータのため利用できる。時点ｔ１０〜ｔ１１間でＴＭＣに関し、基本情報を含むシステムメッセージＳＹが伝送される。図３と異なって、当該のシステムメッセージでは後続の時間窓がどのような種類のデータを含むかを指示するビットが設けられていない。当該情報は、下記のことにより定まる、即ち、システムメッセージに後続する走査時間窓内で、ＴＭＣデータ及びＲＤＳデータか、又はもっぱらＲＤＳデータのみが入来しているか否かにより定まる。走査時間窓内にてＴＭＣデータ及び場合により付加的にＲＤＳデータが入来する場合、このことは次のようにして信号化される、すなわち、時間窓（ｔ１１〜ｔ１３）のうち殘留する時間区間タイムスパン（ｔ１２〜ｔ１３）にて更なるＴＭＣデータ及びＲＤＳデータが含まれていることにより信号化される。当該の手法は、時間軸上方の時間窓ｔ１２〜ｔ１３の説明内容により表される。但し、システムメッセージに後続する走査時間窓ｔ１１〜ｔ１２にてもっぱらデータのみが入来する場合（時間軸下方の説明内容参照）後続の時間区間タイムスパンｔ１２〜ｔ１３に対して、もっぱらＲＤＳデータ（軸下方の説明内容参照）のみが許容される。従って、放送受信機は、ＴＭＣが失われる危険性なしで、時間窓ｔ１２〜ｔ１３にて複雑な、ないし、時間のかかるＲＤＳ機能、例えば、代替周波数のチェックを行い得ることを知得する。従って、図３及び図４に示す方法により、ＴＭＣ−時間窓（換言すれば、当該の時間窓ではＴＭＣデータ及びＲＤＳデータが処理される）が処理され得、そして、ＲＤＳ−時間窓（換言すれば、時間窓では、ＲＤＳデータのみが処理される）が規定され得る。ＴＭＣ時間窓は、さらに、第１の時間区間タイムスパン（個々ではＴＭＣデータが伝送される）と第２の時間区間タイムスパン（ここではＲＤＳデータのみが伝送され評価される）とに分割される。そこで、相応のＴＭＣ−又はＲＤＳ−時間窓は、任意に配置され得る。ＴＭＣ時間窓及びＲＤＳ時間窓がそれぞれ交番するようにすれば、方法プロセスは特に簡単になる。ＲＤＳ−又はＴＭＣ時間窓Ｄの周期的交替により受信機は、伝送エラーにより障害を受けた信号の場合にも同期化後、個々の時間窓のシーケンス及びスタート符号を計算できる。
図５には、本発明の別の実施例を示す。同じく示されている時間軸は、時点ｔ１３〜ｔ１９により複数の時間区間タイムスパンに分割される。時点ｔ１４〜ｔ１５間の第１時間区間タイムスパンは同じく任意のデータのために利用できる。時点ｔ１５〜ｔ１６間ではＴＭＣに関する基本情報を含むシステムメッセージＳＹが伝送される。図３と異なって、当該のシステムメッセージの場合においても後続の時間窓がどのような種類のデータを含むかを指示するビットが設けられない。後続の時間窓内では、同じ内容のＴＭＣデータのみが含まれる。当該のＴＭＣデータがｔ１７にて適正に受信された場合残りの持続時間ｔ１７〜ｔ１８を、時間の掛かるＲＤＳ機能のため利用できる。
【図１】
0003892047.tif 000002
【図２】
0003892047.tif 000003
【図３】
0003892047.tif 000004
【図４】
0003892047.tif 000005
【図５】
0003892047.tif 000006